(57)【要約】【課題】樋支持具本体又は取付杆を傷付けることなく、施工現場で樋支持具の勾配を所望の角度に均一に調整できる樋支持具勾配調整装置を提供する。【解決手段】雨樋を支承する樋支持具本体１と、この樋支持具本体１を壁面等に取付固定するための取付杆２とからなる樋支持具３の勾配を調整する樋支持具勾配調整装置Ａであって、上記樋支持具本体１又は取付杆２の何れか一方を固定可能な固定部１０と、この固定部１０で支持された上記取付杆２又は樋支持具本体１に向けて、ローラー２５を回動させながら押し付けることによって、所望の角度の折曲部４を形成する勾配調整手段２０とを備えたことを特徴とする。【選択図】図１
2004353302.tif 000002
【特許請求の範囲】
【請求項１】
雨樋を支承する樋支持具本体と、この樋支持具本体を壁面等に取付固定するための取付杆とからなる樋支持具の勾配を調整する樋支持具勾配調整装置であって、
上記樋支持具本体又は取付杆の何れか一方を固定可能な固定部と、
この固定部で支持された上記取付杆又は樋支持具本体に向けて、ローラーを回動させながら押し付けることによって、所望の角度の折曲部を形成する勾配調整手段とを備えたことを特徴とする樋支持具勾配調整装置。
【請求項２】
請求項１において、
上記固定部は、ベースプレートに立設された取付板に設けられ、
上記勾配調整手段は、上記取付板の一方に立設されたレバー支持台にレバーの一端が枢着されると共に、このレバーの開放端を上記取付板の他方に向けて延設された梃子機構を備え、且つ、
上記レバー適所には、下方に向けてローラー保持部を下設し、この下端に回動可能な上記ローラーが設けられていることを特徴とする樋支持具勾配調整装置。
【請求項３】
請求項１又は２の何れかにおいて、
上記固定部で正面打式、打込式、横打式等の取付杆を固定すると共に、上記ローラーで取付杆又は樋支持具本体を押し付ける構造にしたことを特徴とする樋支持具勾配調整装置。
【請求項４】
請求項１又は２の何れかにおいて、
上記固定部で受式又は吊式の樋支持具本体を固定すると共に、上記ローラーで取付杆を押し付ける構造にしたことを特徴とする樋支持具勾配調整装置。
【請求項５】
請求項１〜４の何れかにおいて、
上記勾配調整手段には、上記所望の角度に達したときに、上記ローラーの回動を規制するためのストッパー部を設けたことを特徴とする樋支持具勾配調整装置。
【発明の詳細な説明】
【０００１】
【発明の属する技術分野】
本発明は、雨樋を支承する樋支持具本体と、この樋支持具本体を壁面等に取付固定するための取付杆とからなる樋支持具の勾配を、所望の角度に調整することができる樋支持具勾配調整装置に関する。
【０００２】
【従来の技術】
一般に雨樋を支承する樋支持具本体と、この樋支持具本体を壁面等に取付固定するための取付杆とからなる樋支持具は、例えば、実用新案登録第３０５００９８号に開示されているように、当該樋支持具の生産時に一定の角度で形成されている。
【０００３】
ところが、施工現場においては、上記樋支持具本体と取付杆との勾配の変更を生じる場合がある。
【０００４】
この場合、再度、所望の角度の勾配に形成された樋支持具を工場で再生産するか、或いは、ペンチ等の工具を使用して、施工現場で所望の角度の勾配に調整するしかなく、従来には、上記樋支持具の勾配を施工現場で簡単に調整できる装置はなかった。
【０００５】
【特許文献１】
実用新案登録第３０５００９８号
【発明が解決しようとする課題】
しかしながら、樋支持具を工場に持ち帰って再生産していたのでは、時間や手間を要するだけでなく、施工作業が進まないという問題がある。
【０００６】
そのため、上記工具を使用して手作業で勾配の調整がなされるが、これでは、複数の樋支持具を全て均一な角度に調整することは困難である。
【０００７】
また、この勾配の調整作業は、上記工具で樋支持具本体又は取付杆の一方を挟持したままの状態で、これを押し曲げて勾配を調整するため、上記工具の挟持部によって、樋支持具本体又は取付杆を傷付ける恐れがあり、しかも、円滑に折り曲げ難いという問題もあった。
【０００８】
本発明は、このような事情に鑑みて、樋支持具本体又は取付杆を傷付けることなく、施工現場で樋支持具の勾配を所望の角度に均一に調整できる樋支持具勾配調整装置を提供することを目的としている。
【０００９】
【課題を解決するための手段】
上記目的を達成するため、
請求項１に係る樋支持具勾配調整装置は、雨樋を支承する樋支持具本体と、この樋支持具本体を壁面等に取付固定するための取付杆とからなる樋支持具の勾配を調整する樋支持具勾配調整装置であって、上記樋支持具本体又は取付杆の何れか一方を固定可能な固定部と、この固定部で支持された上記取付杆又は樋支持具本体に向けて、ローラーを回動させながら押し付けることによって、所望の角度の折曲部を形成する勾配調整手段とを備えたことを特徴とする。
【００１０】
このものでは、樋支持具本体又は取付杆を固定部で支持すると共に、他方にローラーを回動させながら押し付けることによって、これら樋支持具本体と取付杆との勾配を所望の角度に調整可能にしているため、樋支持具本体又は取付杆に傷付けることを防止でき、しかも、ローラーによって勾配を円滑に調整できる。
【００１１】
また、勾配調整手段を備えているので、複数の樋支持具であっても、所望の角度の折曲部を均一に形成できる。
【００１２】
請求項２に係る樋支持具勾配調整装置は、請求項１において、上記固定部は、ベースプレートに立設された取付板に設けられ、上記勾配調整手段は、上記取付板の一方に立設されたレバー支持台にレバーの一端が枢着されると共に、このレバーの開放端を上記取付板の他方に向けて延設された梃子機構を備え、且つ、上記レバー適所には、下方に向けてローラー保持部を下設し、この下端に回動可能な上記ローラーが設けられていることを特徴とする。
【００１３】
このものでは、梃子機構を備えているので、小さな力で樋支持具の勾配調整ができる。
【００１４】
また、ベースプレートに集約されているので、持ち運びが容易であり、施工現場で樋支持具の勾配調整を行うことができる。
【００１５】
請求項３に係る樋支持具勾配調整装置は、請求項１又は２の何れかにおいて、上記固定部で正面打式、打込式、横打式等の取付杆を固定すると共に、上記ローラーで取付杆又は樋支持具本体を押し付ける構造にしたことを特徴とする。
【００１６】
このものでは、正面打式、打込式、横打式等の様々な形状の取付杆を固定できる。
【００１７】
請求項４に係る樋支持具勾配調整装置は、請求項１又は２の何れかにおいて、上記固定部で受式又は吊式の樋支持具本体を固定すると共に、上記ローラーで取付杆を押し付ける構造にしたことを特徴とする。
【００１８】
このものでは、受式又は吊式の様々な形状の樋支持具本体を固定できる。
【００１９】
請求項５に係る樋支持具勾配調整装置は、請求項１〜４の何れかにおいて、上記勾配調整手段には、上記所望の角度に達したときに、上記ローラーの回動を規制するためのストッパー部を設けたことを特徴とする。
【００２０】
このものでは、ストッパー部を設けているので、樋支持具の勾配、すなわち、折曲部が所望の角度に達したときには、上記ローラーの回動を自動的に規制できる。
【発明の実施の形態】
以下、本発明に係る樋支持具勾配調整装置Ａを図面とともに説明する。
【００２１】
図１は、本発明に係る樋支持具勾配調整装置Ａの一実施例を示す正面図、図２は、図１の平面図である。
【００２２】
図１及び図２は、雨樋（不図示）を支承する樋支持具本体１と、この樋支持具本体１を壁面等に取付固定するための取付杆２とからなる樋支持具３の勾配を調整する樋支持具勾配調整装置Ａである。
【００２３】
この樋支持具勾配調整装置Ａは、取付杆２の基端を固定可能な固定部１０と、この取付杆２に向けて、ローラー２５を回動させながら押し付けることによって、その折曲部４を所望の角度に形成するための勾配調整手段２０とを備えている。
【００２４】
また、図４（ａ）で示すように、折曲部４が、取付杆２と樋支持具本体１との連結部分である樋支持具３のような場合では、勾配調整手段２０は、樋支持具本体１に向けて、ローラー２５を回動させながら押し付けることによって、その折曲部４を所望の角度に形成するものである。
【００２５】
固定部１０は、ベースプレート３０から垂直に固着された取付板４０を立設し、この取付板４０の左側面に、取付杆２を差し込んで保持する空間を備えた押え板１２を着脱可能に設け、この押え板１２で取付杆２の基端を挟持し、取付杆２を支持している。なお、取付杆２の形状に応じて、押え板１２は、ボルト１１にて取替えできるようにしている。
【００２６】
本実施例では、樋支持具３の取付杆２として、壁面等の表面側からネジ等で固定される正面打式のものを示し、これに対応する固定部１０を例示しているが、この固定部１０の構造は、図４（ａ）で示すように、壁面等の側面側からネジ等で固定される横打式のもの、或いは、図４（ｂ）で示すように、壁面等の表面側から直接打ち込んで固定される打込式のものであっても、各々の構造のものに応じて同様に形成すれば良い。
【００２７】
また、図例の固定部１０は、取付杆２を固定する構造のものを例示しているが、この取付杆２に代えて、図１で示すような吊式である樋支持具本体１の一端を固定する構造のもの、或いは、図４（ａ）、（ｂ）で示すような受式の樋支持具本体１の一端を固定する構造のものであっても良い。
【００２８】
勾配調整手段２０は、取付板４０の更に右側に、ベースプレート３０から垂直に固着され、且つ、前記取付板４０よりも背の高いレバー支持台２１を立設し、このレバー支持台２１の上端には、軸部２２を介してレバー２３の一端が枢着されると共に、その他端が取付板４０の他方に向けて延設された梃子機構を備えている。
【００２９】
また、レバー２３には、樋支持具本体２に対応する位置にローラー保持部２４が下設され、このローラー保持部２４の下端に、樋支持具本体２の長手方向に向けて回動可能なローラー２５を設けている。
【００３０】
ローラー２５は、金属、硬質樹脂、硬質ゴム等の硬質材で形成されているが、このローラー２５の表面に、軟質ゴムや緩衝材を更に被覆することもできる。
【００３１】
また、本実施例では、レバー２３が所望の角度に達したときに、ローラー２５の回動を規制するためのストッパー部５０を設けており、具体的には、固定部１０の上端面１３の鉛直線上に位置するレバー２３側面に、固定ネジ５１によってストッパー部５０を固定し、このストッパー部５０の下端面５２が、固定部１０の上端面１３に当接することによって、レバー２３の下降を規制し、結果的にローラー２５の回動を規制するようにしている。
【００３２】
ストッパー部５０には、上、下方向に向けて位置調整用の長孔５３を開設しており、この長孔５３に沿ってストッパー部５０を上、下に調整した後、固定ネジ５１で固定するようにしているので、レバー２３の下降を規制する位置を、この長孔５３の範囲内で自由に調整できる。
【００３３】
なお、ストッパー部５０には、上、下の調整位置を目視できる目盛を設けても良い。
【００３４】
図３（ａ）、（ｂ）は、図１で示した樋支持具勾配調整装置Ａの要部を拡大した動作説明図であり、この図３（ａ）は、ローラーが取付杆に当接された状態を示す図であり、図３（ｂ）は、ローラーを回動させながら取付杆に押し付けて所望の角度の折曲部を形成した状態を示す図である。
【００３５】
上記の通り構成された樋支持具勾配調整装置Ａは、以下のように使用する。
【００３６】
先ず、固定部１０である取付板４０と押え板１２の間に形成された空間に取付杆２の基端を差込むと共に、取付杆２を挟持し略水平に位置付けた後、取付杆２を支持する。
【００３７】
なお、本実施例では、取付杆２の勾配角度が、略直角であったものを、鋭角に調整する場合を図示しているが、取付杆２の勾配角度が、鈍角であったものを、略直角又は鋭角にしたり、或いは、取付杆２の勾配角度が、鋭角であったものを、略直角又は鈍角に調整する場合も同様である。
【００３８】
次に、ストッパー部５０の固定ネジ５１を弛め、長孔５３に沿ってストッパー部５０を所望の位置に上、下調整した後、固定ネジ５１を締付けて固定する。
【００３９】
なお、このストッパー部５０の上、下調整に応じて、最終的には、折曲部４が所望の角度に調整されるのである。
【００４０】
そして、レバー２３の他端を引き下げれば、軸部２２を中心とする梃子機構によって、固定部１０で支持された取付杆２に向けて、ローラー２５を回動させながら押し付けることによって、その押し付けられた部分の取付杆２は、下方に向けて折り曲げられる。
【００４１】
更に、レバー２３を押し下げると、やがてストッパー部５０の下端面５２が、固定部１０の上端面１３に当接することによって、レバー２３の下降が規制され、それ以上のレバー２３の押し下げを規制し、結果的にローラー２５の回動も規制される。
【００４２】
この規制によって、取付杆２の折曲部４の折り曲げ角度も規制され、取付杆２の勾配が所望の角度に調整される。
【００４３】
そして、レバー２３を戻し上げ、固定部１０から取付杆２を抜き外せば、所望の勾配に形成された樋支持具３が、施工現場で簡単に形成できるのである。
【００４４】
なお、本実施例では、取付杆２の基端を下向きに保持して、その勾配角度を鋭角方向に調整する場合を例示したが、この取付杆を上向きに保持して、その勾配角度を鈍角方向に調整できることも当然である。
【発明の効果】
本発明によれば、次のような効果がある。
【００４５】
請求項１に係る樋支持具勾配調整装置によれば、樋支持具本体又は取付杆を固定部で支持すると共に、他方にローラーを回動させながら押し付けることによって、これら樋支持具本体と取付杆との勾配を所望の角度に調整可能にしているため、樋支持具本体又は取付杆に傷付けることを防止でき、しかも、ローラーによって勾配を円滑に調整できる。
【００４６】
また、勾配調整手段を備えているので、複数の樋支持具であっても、所望の角度の折曲部を均一に形成できる。
【００４７】
請求項２に係る樋支持具勾配調整装置によれば、梃子機構を備えているので、小さな力で樋支持具の勾配調整ができる。
【００４８】
また、ベースプレートに集約されているので、持ち運びが容易であり、施工現場で樋支持具の勾配調整を行うことができる。
【００４９】
請求項３に係る樋支持具勾配調整装置によれば、正面打式、打込式、横打式等の様々な形状の取付杆を固定できる。
【００５０】
請求項４に係る樋支持具勾配調整装置によれば、受式又は吊式の様々な形状の樋支持具本体を固定できる。
【００５１】
請求項５に係る樋支持具勾配調整装置によれば、ストッパー部を設けているので、樋支持具の勾配、すなわち、折曲部が所望の角度に達したときには、上記ローラーの回動を自動的に規制できる。
【図面の簡単な説明】
【図１】本発明に係る樋支持具勾配調整装置Ａの一実施例を示す正面図である。
【図２】図１の平面図である。
【図３】図１で示した樋支持具勾配調整装置Ａの要部を拡大した動作説明図であり、図３（ａ）は、ローラーが取付杆に当接された状態を示す図であり、図３（ｂ）は、ローラーを回動させながら取付杆に押し付けて所望の角度の折曲部を形成した状態を示す図である。
【図４】（ａ）、（ｂ）は、樋支持具の他の例を示す斜視図である。
【符号の説明】
Ａ    樋支持具勾配調整装置
１    樋支持具本体
２    取付杆
３    樋支持具
４    折曲部
１０  固定部
２０  勾配調整手段
２１  レバー支持台
２３  レバー
２４  ローラー保持部
２５  ローラー
３０  ベースプレート
４０  取付板
５０  ストッパー部
【図１】
2004353302.tif 000003
【図２】
2004353302.tif 000004
【図３】
2004353302.tif 000005
【図４】
2004353302.tif 000006